(57)【要約】  本発明は、コークス炉室扉開放時のコークス炉からのいわゆるこぼれコークスを捕捉するための方法に関し、捕捉装置はコークス炉扉開放前にコークス炉室扉下に配置された案内板に近づけられ、コークス炉室から落下したコークスは案内板を介して捕捉装置内に落ち、コークスが捕捉された後に前記捕捉装置が水平位置に移されて捕捉装置の上縁がコークス炉室の底面と同じ高さに位置し、そしてコークス炉操作機のコークス押出し装置が捕捉装置の上部、吊り具の間を移動して、コークスは捕捉装置からコークス炉室内に押し戻される。こぼれコークスによる損失は回避され、こぼれコークスは押し出されるコークスケーキ中にスライドバックされる。【選択図】図４
2013521385.tif 000002
【特許請求の範囲】
【請求項１】
コークス炉室扉（４）開放の間にコークス炉室（１）から落下する高温コークス（５）を捕捉するための方法であって、
・捕捉装置（２）が、前記コークス炉室扉（１）の下に配置されるか、またはそれに近づけた案内板（８）に近づけられ、
・前記捕捉装置（２）が移動し終えた後に前記コークス炉室扉（４）が開放され、コークス炉室（１）から落下する前記コークス（５）が前記案内板（８）を介して前記捕捉装置（２）に落下する方法において、
・前記コークス（５）が捕捉された後で、前記捕捉装置（２）は水平姿勢に移され、前記捕捉装置（２）の上縁が少なくとも前記コークス炉室（１）の底面と同じ高さにあり、
・コークス炉操作機（１０）のコークス押出し設備（９）が前記捕捉装置（２）の上方、吊り具（２ａ）の間を移動し、前記コークス（５）が前記捕捉装置（２）から前記コークス炉室（１）内にスライドバックされることを特徴とする方法。
【請求項２】
前記コークス炉室扉（４）開放の間にコークス炉室（１）から落下する高温コークス（５）を捕捉するための請求項１に記載の方法において、前記案内板（８）が前記コークス炉室扉（４）の下に配置されることを特徴とする方法。
【請求項３】
前記コークス炉室扉（４）開放の間にコークス炉室（１）から落下する高温コークス（５）を捕捉するための請求項１に記載の方法において、前記案内板（８）が前記捕捉装置（２）とともに前記コークス炉室扉（４）に近づけられることを特徴とする方法。
【請求項４】
前記コークス炉室扉（４）開放の間にコークス炉室（１）から落下する高温コークス（５）を捕捉するための請求項１乃至３の何れか１項に記載の方法において、前記捕捉装置（２）の後壁部が引き込まれ、前記コークス炉操作機（１０）の前記コークス押出し機（２）が前記吊り具  （２ａ）の間を通って前記捕捉装置（２）内に移動して、前記コークスが前記捕捉装置（２）から前記コークス炉室（１）内にスライドバックされることを特徴とする方法。
【発明の詳細な説明】
【技術分野】
【０００１】
本発明は、非回収および熱回収コークス炉からこぼれコークスを捕捉するための方法に関し、前記こぼれコークスはコークス炉室扉開放時にコークス炉室から落下する。この方法により、落下したコークスすべてを、冷却したり、収集コンテナに運んだりすることなく、コークス炉室内に戻すことができる。
【背景技術】
【０００２】
コークスは一連のサイクルで製造されるのが通常である。この趣旨で、コークス炉室には石炭乾留を想定した石炭が装填され、コークス炉室扉が閉鎖され、コークス製造サイクルが開始される。石炭乾留が完了すると、コークス炉室扉が開放され、コークスが炉を通り抜けてコークス炉室外へ押し出される。扉を開放すると、いくらかのコークスがコークス炉室から頻繁に落下し、排出物を発生させるとともに望まないコークスの損失となっている。そのため、先行技術により、捕捉装置またはコークスショベルでコークスを捕捉して廃棄するか、またはさらに後方で冷却する装置が提案されている。
【０００３】
独国特許出願公開第１０２００７０４５４２６Ａ１号明細書は、こぼれコークスを捕捉して除去するためのコークス炉操作設備とコークスショベルエリアの排出物を吸引除去するための吸引装置を備えたコークス押出し機またはコークス運搬機から構成されるコークス炉操作機であって、前記吸引要素がコークスショベルとは独立してコークス炉操作機に連結され、前記コークスショベルがその原点位置から捕捉位置に移動するために吸引要素に対して相対的に移動可能に配置されるコークス炉操作機に関する。この方法によって、コークスショベル中でコークスを冷却することによって生じたり、通常コークス炉押出し機またはコークス輸送機に設備されている吸引設備で捕捉されなかったりしたコークスショベルエリアのこれら排出物さえも捕捉される。コークスは少なくとも部分的にコークスショベル中で冷却され、コークスショベルを捕捉位置から送出位置に移動させることを可能とすることによって、さらに後方の捕捉装置内に廃棄される。
【０００４】
国際公開第２００７／０２２８１６Ａ１号パンフレットには、こぼれコークスをコークス炉歩廊エリア内において、あるいは歩廊エリアから取り除く役目を果たすコークス押出し機および／またはコークス輸送機から構成されるコークス炉操作機としての装置が説明されており、歩廊最下階近くのコークス炉室炉扉下の捕捉位置に配置される少なくとも１つのコークスショベル、コークスショベル上および／またはコークスショベル内に備えられた、コークスショベルエリアに放出された排出物を吸引除去する少なくとも１つの吸引装置から構成されるショベル設備が利用される。中身を空けるため、コークスショベルは最下面近くの歩廊エリア内で持ち上げられ、続いてさらに後方に送り出すために必要な位置まで回される。
【０００５】
これらのプロセスではこぼれコークスを収集するためにコークスショベルを利用し、コークスショベルは後方に配置された斜面台に向かって送り出される。コークスの冷却は、少なくとも部分的にコークスショベル内で行われる。捕捉されたコークスの再利用や捕捉されたコークスをコークスケーキに戻すことは想定されていない。しかし、こぼれコークスをコークス炉室中に押し戻すコークス上へ押し込み、残りのコークスケーキとともにさらに利用されるようにすることはさらに好ましい。それによって、たとえば収集装置からコークス冷却車に運ばなければならないこぼれコークスのための追加の収集および運搬設備の必要性がなくなるであろう。
【０００６】
そのため、本発明の目的は、コークス炉室から落下したコークスを捕捉し、コークス炉室内に戻す方法を提供することである。
【０００７】
本発明は、先行技術において提案されているように、コークス炉室扉開放時に落下するこぼれコークスを捕捉し、コークス押出し機によって捕捉設備からコークス炉室内にスライドバックする方法を提供することによって、この課題を解決する。本方法によれば、捕捉装置は代表的な構造においてはコークス炉室扉下に固定配置されている案内板の底縁まで移動され、コークス押出し機の捕捉装置はコークス炉に備えられた薄い案内板の助けによってこぼれコークスを積み込むことができる。その後に捕捉装置を引き揚げることによって、コークス押出し機はこぼれコークスをコークス炉室内に直接スライドバックすることができる。
【０００８】
特許請求の範囲は、特に、コークス炉室扉開放の間にコークス炉室から落下した高温コークスを捕捉するための方法であって、
・捕捉装置が、コークス炉室扉の下に配置されるか、またはそれに近づけた案内板に近づけられ、
・捕捉装置が移動し終えた後にコークス炉室扉が開放され、コークス炉室から落下するコークスが案内板を介して捕捉装置に落下する方法において、
・コークスが捕捉された後で、捕捉装置は水平姿勢に移され、捕捉装置の上縁が少なくともコークス炉室の底面と同じ高さにあり、
・コークス炉操作機のコークス押出し設備が捕捉装置の上方、吊り具の間を移動し、コークスが捕捉装置からコークス炉室内にスライドバックされることを特徴とする方法について行う。
【０００９】
捕捉装置はコークスショベルであることが好ましい。捕捉装置の吊り具は、コークス押出し設備の横方向寸法が捕捉装置の吊り具より小さく、コークス押出し設備が捕捉装置を通り抜けるように構成される。原則として、本方法はすべてのコークス炉に適するが、特に「熱回収」または「非回収」型コークス炉に適する。有利には、コークス炉室は、いくつかのコークス炉室が一列に並べられ、コークス炉列またはコークス炉群を形成するように配置される。それによって、捕捉装置とコークス押出し機の属するコークス炉操作機が、コークス炉室正面に平行して移動できる。
【００１０】
重要な実施形態において、案内板はコークス炉室扉下に配置される。代表的な実施形態において、それは各コークス炉に固定配置される。案内板を捕捉装置とともにコークス炉室扉に接近させることも考えられる。この場合も、捕捉装置に適切な機構を備えることが必要である。最後に、案内板が各コークス炉室に接近できる特別な機構を備えることも考えられる。
【００１１】
捕捉装置の深さに依存して、コークス炉操作機のコークス押出し設備が吊り具の間を捕捉装置まで移動できるように捕捉装置の後壁部を引き込むのが好都合な場合があり、コークスは捕捉装置からコークス炉室内に押し戻される。したがって、コークス押出し設備は垂直方向に移動可能とすることができ、コークスが押し出される時に閉鎖スロープを備えた捕捉装置が水平姿勢を維持していても、捕捉装置のコークス炉室への完全な送出が実現できる。
【００１２】
捕捉装置の吊り具および移動機構は任意の構造でよい。好適な実施形態において、吊り装置は、上部に位置する運搬装置への機構によって吊り下げられる。さらなる実施形態において、運搬機構、移動機構またはその両方を下方または側面から出てくる配列で提供することも可能である。
【００１３】
本発明の方法によって、コークス炉室扉開放時にコークス炉室から落下するいわゆるこぼれコークスは捕捉され、こぼれコークスを冷却することなしにコークス炉室に戻すことができる。
【図面の簡単な説明】
【００１４】
【図１】図１は、コークス炉室正面におけるコークス炉室の開放および捕捉装置の伸長を示す。
【図２】図２は、こぼれコークスの開放されたコークス炉室からの落下を示す。
【図３】図３は、こぼれコークスの捕捉装置からコークス炉室へのスライドバックを示す。
【図４】図４は、コークスケーキの炉外への押出しを示す。
【発明を実施するための形態】
【００１５】
本発明の方法は、方法のいくつかのステップ（コークス炉室の開放、こぼれコークスの落下、こぼれコークスのコークス炉室内へのスライドバック、およびコークスの炉外への押出し）を特徴付ける４つの図面によって概要が説明される。
【００１６】
図１は、コークス炉室正面（３）におけるコークス炉室（１）の開放および捕捉装置（２）の伸長を示す。コークス炉室扉（４）は、開放設備（４ａ）によってコークス炉室（１）から外側へ引っ張られる。コークス炉室（１）内に見えるのは、コークスケーキ（５）である。ここに図解する実施形態において、コークス炉室（１）は、コークス炉室デッキ（６）、下部構造（７）、およびコークス炉室扉（４）から構成される。下部構造（７）は、加熱室（７ａ）または二次空気ダクトも備えていてよい。コークス炉室デッキ（６）およびコークス炉室扉（４）は、必要に応じて換気設備（６ａ）を備えていてよい。捕捉装置（２）は、コークス炉室正面のコークス炉単体の下に配置されている案内板（８）に接近させてある。コークス炉室扉（４）の前に見えるのは、コークス炉操作機（１０）の一部であるコークス押出し機（９）である。それは捕捉装置（２）と構造的に結合されている。捕捉装置（２）は、垂直けん引装置（２ｂ）によって吊り具（２ａ）を介して旋回させることができる。
【００１７】
図２は、こぼれコークス（１１）の開放されたコークス炉室（１）からの落下を示す。それは案内板（８）によって捕捉装置（２）の中に案内される。この趣旨で、捕捉装置（２）は傾斜姿勢に移される。ここで、コークス炉室扉（４）が開放位置にあるのがわかる。こぼれコークス（１１）の落下予想量に依存して、捕捉装置（２）は別の深さまたは折りたためる後壁部を備えていてよい。
【００１８】
図３は、こぼれコークス（１１）の捕捉装置（２）からコークス炉室（１）へのスライドバックを示す。こぼれコークス（１１）は滑らされて捕捉装置の吊り具（２ａ）を通って、捕捉装置（２）からコークス炉室（１）内に戻される。捕捉装置（２）の深さにより、その後壁部（２ｂ）も折りたたむことができ、コークス押出し機（９）は垂直方向上下に動かせる。
【００１９】
図４は、コークスケーキ（５）の炉外への押出しを示す。こぼれコークス（１１）がスライドバックされた後、コークスケーキ（５）はコークス炉室（１）を通って炉外に押出される。
【符号の説明】
【００２０】
１．コークス炉室
２．捕捉装置
２ａ．捕捉装置の吊り具
２ｂ．垂直けん引装置
３．コークス炉室正面
４．コークス炉室扉
４ａ．コークス炉室扉開放設備
５．コークスケーキ
６．コークス炉室デッキ
６ａ．コークス炉室デッキ内換気装置
７．下部構造
７ａ．加熱室
７ｂ．二次空気ダクト
８．案内板
９．コークス押出し機
１０．コークス炉操作機
１１．こぼれコークス
【図１】
2013521385.tif 000003
【図２】
2013521385.tif 000004
【図３】
2013521385.tif 000005
【図４】
2013521385.tif 000006
【国際調査報告】
2013521385.tif 000007
2013521385.tif 000008
2013521385.tif 000009
2013521385.tif 000010